(57)【特許請求の範囲】
【請求項１】
電子機器の基板上に配置されるキー構造であって、
ある方向に変位するキーと、
前記キーに対して当該キーが変位する側に配置されるキーシートであって、シート基部と、前記キーの変位に伴いその変位方向へ変位する接点部とを備える前記キーシートと、
前記キーと前記シート基部との間に前記変位方向に見て前記シート基部に重なる位置に配置された支持部と、を備え、
前記支持部は、前記キーが変位していない状態では、当該支持部に対向配置された部材から離間していて、かつ、前記キーの他端部が前記変位方向に変位する際に、当該支持部に対向配置された部材に当接することで前記キーの一端部を支持することを特徴とするキー構造。
【請求項２】
前記キーシートの前記接点部は、前記キーが配置された側とは反対側の面が、前記支持部に近づくにつれて前記基板に近づくように形成されている、
ことを特徴とする請求項１に記載のキー構造。
【請求項３】
前記キーシートの前記接点部は、前記支持部に近づくにつれて厚みが大きくなるように形成されている、
ことを特徴とする請求項１又は請求項２のいずれか一項に記載のキー構造。
【請求項４】
前記接点部は、前記キーが変位していない状態では、当該接点部の前記支持部に近い方の端部と前記基板との距離が、当該接点部の前記支持部から遠い方の端部と前記基板との距離の略半分以下である、
請求項１から請求項３のいずれか一項に記載のキー構造。
【請求項５】
前記支持部は、前記キーが変位していない状態では、当該支持部と当該支持部に対向配置された部材との距離が、前記接点部と前記基板との距離と略同じである、
ことを特徴とする請求項１から請求項４のいずれか一項に記載のキー構造。
【請求項６】
前記キーが変位していない状態では、前記支持部と当該支持部に対向配置された部材との距離が、前記キーの最大変位量の１／５以上且つ１／２以下である、
ことを特徴とする請求項１から請求項５のいずれか一項に記載のキー構造。
【請求項７】
前記支持部は、矩形状の前記キーの一辺に沿って直線状に形成されている、
ことを特徴とする請求項１から請求項６のいずれか一項に記載のキー構造。
【請求項８】
前記支持部は、前記キーシートよりも剛性が高い材料により形成されている、
ことを特徴とする請求項１から請求項７のいずれか一項に記載のキー構造。
【請求項９】
電子機器の基板上に配置されるキー構造であって、
ある方向に変位するキーと、
前記キーに対して当該キーが変位する側に配置されるキーシートであって、シート基部と前記キーの変位に伴いその変位方向へ変位する接点部とを備える前記キーシートと、
前記キーと前記シート基部との間に配置された支持部であって、前記キーの他端部が前記変位方向に変位する際に、当該支持部に対向配置された部材に当接することで前記キーの一端部を支持する支持部と、を備え、
前記接点部は、前記キーが変位していない状態では、当該接点部の前記支持部に近い方の端部と前記基板との距離が、当該接点部の前記支持部から遠い方の端部と前記基板との距離の略半分以下である、
ことを特徴とするキー構造。
【請求項１０】
電子機器の基板上に配置されるキー構造であって、
ある方向に変位するキーと、
前記キーに対して当該キーが変位する側に配置されるキーシートであって、シート基部と前記キーの変位に伴いその変位方向へ変位する接点部とを備える前記キーシートと、
前記キーと前記シート基部との間に配置された支持部であって、前記キーの他端部が前記変位方向に変位する際に、当該支持部に対向配置された部材に当接することで前記キーの一端部を支持する支持部と、を備え、
前記支持部は、前記キーが変位していない状態では、当該支持部と当該支持部に対向配置された部材との距離が、前記接点部と前記基板との距離と略同じである、
ことを特徴とするキー構造。
【請求項１１】
電子機器の基板上に配置されるキー構造であって、
ある方向に変位するキーと、
前記キーに対して当該キーが変位する側に配置されるキーシートであって、シート基部と前記キーの変位に伴いその変位方向へ変位する接点部とを備える前記キーシートと、
前記キーと前記シート基部との間に配置された支持部であって、前記キーの他端部が前記変位方向に変位する際に、当該支持部に対向配置された部材に当接することで前記キーの一端部を支持する支持部と、を備え、
前記キーが変位していない状態では、前記支持部と当該支持部に対向配置された部材との距離が、前記キーの最大変位量の１／５以上且つ１／２以下である、
ことを特徴とするキー構造。
【請求項１２】
基板と、キー構造と、を備える電子機器であって、
前記キー構造は、
ある方向に変位するキーと、
前記キーに対して当該キーが変位する側に配置されるキーシートであって、シート基部と前記キーの変位に伴いその変位方向へ変位する接点部とを備える前記キーシートと、
前記キーと前記シート基部との間に前記変位方向に見て前記シート基部に重なる位置に配置された支持部と、を備え、
前記支持部は、前記キーが変位していない状態では、当該支持部に対向配置された部材から離間していて、かつ、前記キーの他端部が前記変位方向に変位する際に、当該支持部に対向配置された部材に当接することで前記キーの一端部を支持し、
前記基板は、
前記キーの変位に伴い、前記接点部の前記キーが配置された側とは反対側の面に接する電極を備える、
ことを特徴とする電子機器。
【請求項１３】
前記キーの入力に対応した表示が行われる表示部を含む第１筐体と、
前記基板および前記キー構造を含む第２筐体と、
前記第１筐体と前記第２筐体とを連結するヒンジ部と、をさらに備え、
前記支持部は、前記キーの前記ヒンジ部に近い方の端部に設けられている、
ことを特徴とする請求項１２に記載の電子機器。
【請求項１４】
前記キー構造は、ある方向に沿って並ぶ複数の前記キーを備え、
前記電子機器は、前記複数のキーの表面を外側に露出させる細長形状である一つの開口が設けられていて、且つ前記キー構造上に設けられたカバーをさらに備える、
ことを特徴とする請求項１２又は請求項１３に記載の電子機器。
【請求項１５】
前記電極は、前記基板上での形成面積が、対応する前記接点部の裏面の面積よりも大きい、
ことを特徴とする請求項１２から請求項１４のいずれか一項に記載の電子機器。
【請求項１６】
前記キーは、前記電子機器への文字入力に用いる文字入力用のキーであって、前記キーの表面に文字を示す表示が施されている、
ことを特徴とする請求項１２から請求項１５のいずれか一項に記載の電子機器。

【発明の詳細な説明】
【技術分野】
【０００１】
本発明は、キー構造及びそのキー構造を備える電子機器に関する。
【背景技術】
【０００２】
従来、上ケースと下ケースとからなる機器ケースと、この機器ケースに設けられたキー入力部とを備えた電子機器において、前記キー入力部は、前記上ケースの内面に配置されて前記上ケースの上面に露出する複数のキー釦部を有するキーシートを備え、前記キーシートには、前記複数のキー釦部の箇所を除いて、多数のピンホールが設けられており、前記上ケースの内面には、前記キーシートの前記多数のピンホールにそれぞれ挿入して嵌着する多数の嵌着突起が設けられていることを特徴とする電子機器が知られている（特許文献１参照）。
【先行技術文献】
【特許文献】
【０００３】
【特許文献１】特開２００８―１５９０２６号公報
【発明の概要】
【発明が解決しようとする課題】
【０００４】
ところで、キーシートは、一般に弾性力のあるラバーからなり、キー釦部を構成するための接点部をキーシートのシート基部から浮かせるように、接点部とシート基部の間にスカート部が設けられ、接点部の裏面にはカーボン等の導通膜が形成されている。
なお、キー釦部としては、接点部上にキー釦部のための表示（例えば、アルファベット等）が直接印刷され、接点部自体がキー釦部とされる場合もあるが、接点部上に樹脂キーが貼着されてキー釦部とされる場合もある。
【０００５】
そして、このようなキーシートを用いる電子機器では、キー釦部に対応するユーザのキー操作を検知するための電極が位置するように、キーシートの裏面側に電子機器の制御基板が配置されている。
【０００６】
このため、ユーザがキー釦部の表面側を押下すると、スカート部が座屈してキー釦部が制御基板の電極に接触し、制御基板の電極が導通状態となることで、電子機器はユーザのキー操作を検知するようになっている。
【０００７】
ここで、キー釦部の大きさを大きくすると、キー釦部の視認性をよくすることができるものの、キー釦部をユーザが押下してスカート部が座屈するときに、スカート部が均一に折れ曲り難くなるため、ダブルクリックが発生するおそれがある。
【０００８】
本発明は、上記のような課題に鑑みてなされたものであり、キー釦部（キー釦）を大きくしてもダブルクリックの発生を抑制することができるキー構造及びそのキー構造を備えた電子機器を提供することを目的とする。
【課題を解決するための手段】
【０００９】
本発明は、上記目的を達成するために、以下の構成によって把握される。
（１）本発明のキー構造は、電子機器の基板上に配置されるキー構造であって、
ある方向に変位するキーと、
前記キーに対して当該キーが変位する側に配置されるキーシートであって、シート基部と前記キーの変位に伴いその変位方向へ変位する接点部とを備える前記キーシートと、
前記キーと前記シート基部との間に前記変位方向に見て前記シート基部に重なる位置に配置された支持部と、を備え、
前記支持部は、前記キーが変位していない状態では、当該支持部に対向配置された部材から離間していて、かつ、前記キーの他端部が前記変位方向に変位する際に、当該支持部に対向配置された部材に当接することで前記キーの一端部を支持する。
【００１０】
（２）本発明の電子機器は、基板と、キー構造と、を備える電子機器であって、
前記キー構造は、
ある方向に変位するキーと、
前記キーに対して当該キーが変位する側に配置されるキーシートであって、シート基部と前記キーの変位に伴いその変位方向へ変位する接点部とを備える前記キーシートと、
前記キーと前記シート基部との間に前記変位方向に見て前記シート基部に重なる位置に配置された支持部と、を備え、
前記支持部は、前記キーが変位していない状態では、当該支持部に対向配置された部材から離間していて、かつ、前記キーの他端部が前記変位方向に変位する際に、当該支持部に対向配置された部材に当接することで前記キーの一端部を支持する支持部と、を備え、
前記基板は、
前記キーの変位に伴い、前記接点部の前記キーが配置された側とは反対側の面に接する電極を備える。
【発明の効果】
【００１１】
本発明によれば、キー釦部（キー釦）を大きくしてもダブルクリックの発生を抑制することができるキー構造及びそのキー構造を備えた電子機器を提供することができる。
【図面の簡単な説明】
【００１２】
【図１】本発明に係る実施形態の電子辞書の斜視図である。
【図２】本発明に係る実施形態のカバー及びキー構造の裏面側を示した平面図である。
【図３】図２の分解平面図であり、（ａ）はキー構造の裏面側を見た平面図であり、（ｂ）はカバーの裏面側を見た平面図である。
【図４】図３のＸ−Ｘ線断面図である。
【図５】本発明に係る実施形態の樹脂キーの裏面側を見た斜視図である。
【図６】実施形態の電子辞書の基板を併せて図示した図４に対応する断面図であり、（ａ）はユーザが樹脂キーの表面を押圧する前の状態を示す図であり、（ｂ）は、ユーザが樹脂キーの表面を押圧した後の状態を示す図である。
【発明を実施するための形態】
【００１３】
以下、添付図面を参照して、本発明を実施するための形態（以下、実施形態という）について詳細に説明する。
なお、図面においては、実施形態の説明の全体を通して同じ要素には同じ番号又は符号を付している。
【００１４】
図１は、本発明のキー構造１０を備える電子辞書１の斜視図である。
なお、以下では、電子辞書１の場合を例にして、本発明のキー構造１０（図３（ａ）参照）の説明を行うが、本発明のキー構造１０が適用される対象は電子辞書に限定されるものではなく、電卓等、一般的な電子機器に適用してよい。
【００１５】
図１に示すように、電子辞書１は、第１ケース２と、第１ケース２とほぼ同じ外形の第２ケース３と、第１ケース２の一端と第２ケース３の他端を連結するヒンジ部４と、を備えており、第１ケース２と第２ケース３はヒンジ部４を回動軸として回動可能に連結されている。
【００１６】
第１ケース２には、液晶表示パネルやＥＬ（エレクトロルミネッセンス）表示パネル等の平面型の表示パネルからなる表示部５が設けられている。
第２ケース３には、図１の矢印で示すように第１ケース２を回動させ、第１ケース２と第２ケース３が合わさるように第１ケース２を折り畳んだときに、表示部５に対面する側に複数のキー釦６が突出するように配置されている。
【００１７】
例えば、点線枠囲みＡで示す横一列に並ぶように配列されたキー釦６は、内蔵される辞書の選択や基本設定等を行うためのメインメニュー関係のキー釦である。
また、点線枠囲みＢで示す横一列に配列されたキー釦６が前後方向に３列設けられているキー釦６は、電子辞書１への文字入力（アルファベット、ひらがな、カタカナ等の文字入力）に用いる文字入力用のキー釦である。
【００１８】
さらに、点線枠囲みＣで示す６つのキー釦６は、サブメニュー関係のキー釦であり、点線枠囲みＤで示すキー釦６は、表示部５に表示されるカーソルを移動させたりするときに用いられるキー釦である。
【００１９】
そして、本実施形態では、点線枠囲みＢで示す文字入力用のキー釦６を通常よりサイズが大きなものとして、そのキー釦６の表面に印字されるアルファベット等の表示（図示せず）を大きくしている。
【００２０】
このように、使用頻度の高いキー釦６を大きくして、キー釦６の表面の印字が視認しやすいようにすることで、ユーザの操作性をよくすることができる。
なお、サイズを大きくするキー釦６は、文字入力用のキー釦６に限定されるものではなく、点線枠囲みＡで示すメインメニュー関係のキー釦６等であってもよい。
【００２１】
しかしながら、従来通りの構成で、単に、キー釦６のサイズを大きくすると、ダブルクリックが発生しやすくなるため、このサイズを大きくしたキー釦６については、以下で説明するようにしてダブルクリックの発生を抑制するようにしている。
【００２２】
（キー構造）
図１に示す電子辞書１は、第２ケース３内に図示しない制御基板（以下、単に基板ともいう）が配置され、その上に、以下で詳細に説明するキー構造１０（図３（ａ）参照）が設けられ、さらに、そのキー構造１０の上に、カバー８が設けられている。
なお、以下の説明では、各部材においてユーザが操作する側を表面と呼び、その表面の反対側を裏面と呼ぶ。
【００２３】
図２は、電子辞書１からカバー８及びキー構造１０を取り外し、第２ケース３内に配置される図示しない基板に対面することになる裏面側を示した平面図である。
また、図３は図２の分解平面図であり、図３（ａ）はキー構造１０の裏面側を見た平面図であり、図３（ｂ）はカバー８の裏面側を見た平面図である。
なお、図３（ａ）に示す点線枠囲みＡ、Ｂ、Ｃ及びＤは、図１の点線枠囲みＡ、Ｂ、Ｃ及びＤで示す部分に対応したものである。
【００２４】
さらに、図４は、図３（ａ）のＸ−Ｘ線断面図であり、点線枠囲みＢの１つの文字入力用のキー釦６に対応する部分の断面図である。
つまり、サイズを通常より大きくしたキー釦６に対応する部分の断面図になっている。
【００２５】
図３（ａ）及び図４に示すように、本実施形態のキー構造１０は、ユーザによって押圧される側に配置される樹脂キー１７（図４参照）と、樹脂キー１７の配置されるキーシート１４を備えている。
【００２６】
そして、キーシート１４は、ゴムやエラストマ等からなる一体成形されたシート（いわゆる、ラバーシート）であり、シート基部１１と、樹脂キー１７の配置される複数の接点部１２と、シート基部１１とそれぞれの接点部１２の間に介在し、接点部１２がシート基部１１から突出するように弾性支持するスカート部１３と、を備えている。
【００２７】
なお、図１のキー釦６は、接点部１２上に配置された樹脂キー１７の部分が、後ほど説明するカバー８の開口からユーザの操作する側に突出して見えている部分になっている。
【００２８】
また、接点部１２の樹脂キー１７と対向する表面と反対側に位置する裏面は、図示しない電子辞書１の基板に対向する面であり、この接点部１２の基板に対向することになる裏面には、カーボン等の導電性材料からなる薄膜が設けられている。
【００２９】
このため、ユーザが図１に示すキー釦６を押圧（押下）、つまり、キー構造１０の樹脂キー１７の部分を押圧（押下）し、この接点部１２の裏面がシート基部１１の裏面側に配置される基板の表面に形成されている電極に接触すると、基板の電極が導通状態になるようになっている。
【００３０】
また、樹脂キー１７は、図４に示すように、シート基部１１まで延出した延出部１７ａを有しており、その延出部１７ａには、シート基部１１側に突出するように設けられた先端が曲面状の凸部１８を有している。
なお、後ほど理由については説明するが、樹脂キー１７の延出部１７ａは、表示部５（図１参照）側に延出している。
【００３１】
図５は、樹脂キー１７の接点部１２側となる裏面側を見た斜視図である。
図５に示すハッチングの部分１７ｂは、キーシート１４の接点部１２に接着剤等で貼着される部分を示しており、その貼着される部分１７ｂから表示部５側に延出する延出部１７ａに設けられた凸部１８は、本実施形態では、樹脂キー１７の矩形状の裏面の表示部５側となる１辺に沿った線状の凸部になっている。
【００３２】
一方、図４に示すように、延出部１７ａを有する樹脂キー１７に対応する接点部１２は、図示しない基板に対向することになる裏面１２ａが、樹脂キー１７の凸部１８側から反対側（図下側）に向かって、図示しない基板から離れるように約３度の傾斜角度で傾斜している。
【００３３】
なお、本実施形態では、図１及び図３（ａ）に点線枠囲みＢで示すキー釦６に対応する部分についてだけ、上述した凸部１８の設けられた延出部１７ａを有する樹脂キー１７を用い、それに対応する接点部１２だけ接点部１２の裏面を傾斜面にしており、その他のキー釦６に対応する部分については、凸部１８の設けられた延出部１７ａを有していない樹脂キー１７を用いるとともに、それに対応する接点部１２の裏面は傾斜しないフラットな面としている。
【００３４】
しかしながら、図１及び図３（ａ）に点線枠囲みＢで示すキー釦６に対応する部分以外のキー釦６においても、必要に応じて、凸部１８の設けられた延出部１７ａを有する樹脂キー１７を用い、それに対応する接点部１２の裏面を傾斜面にするようにしてもよい。
【００３５】
（カバー）
カバー８は、キー構造１０の表面側を覆うように配置され、図１に示した第２ケース３に固定される部材であり、図３（ｂ）に示すように、上述したキー構造１０の樹脂キー１７をカバー８の表面側に位置させるための複数の開口８ａを有している。
【００３６】
これら開口８ａは、１つの樹脂キー１７に対応して形成されたもの以外に、一列に並ぶ樹脂キー１７（例えば、図１の点線枠囲みＡ、Ｂに示すメインメニュー用のキー釦６や文字入力用のキー釦６に対応する樹脂キー１７）をカバー８の表面側に位置させるために、横一列に並ぶ樹脂キー１７の並び幅に対応する長孔で形成されたものがあり、このように複数の樹脂キー１７に対応して１つの開口８ａを設けるようにすることで製造コスト等を低減することが可能となる。
【００３７】
次に、上記のような構成からなるキー構造１０の動作等を含め、更に詳細な説明を行う。
図６は、図４に対応する図であり、電子辞書１の基板２０を併せて図示した断面図である。
図６（ａ）は、ユーザがキー釦６を押圧（押下）する前（樹脂キー１７の表面を押圧する前）の状態を示す図であり、図６（ｂ）は、ユーザがキー釦６を押圧（押下）した後（樹脂キー１７の表面を押圧した後）の状態を示す図である。
【００３８】
図６（ａ）に示すように、樹脂キー１７の凸部１８は、樹脂キー１７を押圧しない状態において、シート基部１１から距離Ｓだけ離間している。
ただし、ダブルクリックを抑制する観点では、凸部１８がシート基部１１から離間している必要はない。
【００３９】
しかしながら、凸部１８を本実施形態のようにシート基部１１から離間させておくことでユーザがキー釦６を押圧（押下）するために、樹脂キー１７を押圧したときの指にかかる荷重が軽減され、キー釦６を押圧（押下）するときに過度な重さを感じることがないようにできるため、樹脂キー１７の凸部１８が、樹脂キー１７を押圧しない状態において、シート基部１１から離間していることが好ましい。
【００４０】
より具体的には、距離Ｓがあまりに小さいと、離間させていることの効果が得られないため、この距離Ｓは、樹脂キー１７がユーザに押圧されたときに、接点部１２が基板２０に当接して動かなくなるまでの距離、つまり、ストロークをＹｍｍとしたときに、そのストロークの１／５倍以上、つまり、Ｓ≧Ｙ／５ｍｍとすることが好ましい。
【００４１】
一方、接点部１２の裏面１２ａは、上述したように、傾斜面となるようになっているが、より具体的に説明すると、凸部１８側の裏面１２ａの端部のシート基部１１の裏面側に配置される基板２０の表面からの距離をＴ１とし、反対側の端部の基板２０の表面からの距離をＴ２とすると、距離Ｔ１は、上述した距離Ｓと同じ程度とすることがよい。
そして、本実施形態のように、凸部１８をシート基部１１から離間させる場合は、距離Ｔ１は、その凸部１８の離間距離をほぼ同じにするのがよい。
【００４２】
このように、凸部１８の離間距離をほぼ同じにしておくと、凸部１８がシート基部１１に当接する状態になったのとほぼ同時に基板２０の図示しない電極が導通状態となり、押圧する指にキー釦６の接地感が伝わるのとほぼ同時に電子辞書１が動作するため、快適な操作感をユーザに与えることができる。
【００４３】
また、接点部１２のストロークは、接点部１２の裏面が基板２０の表面に当接することで決まるため、接点部１２のストロークをＹｍｍとするために、距離Ｔ２は、ほぼＹｍｍに設定されている。
【００４４】
そして、ユーザがキー釦６を押圧（押下）、つまり、樹脂キー１７の表面を押圧（押下）すると、その押圧（押下）に応じて、まず、スカート部１３が撓みはじめ、スカート部１３が座屈する前に、樹脂キー１７の凸部１８がシート基部１１に当接する。
【００４５】
この当接が起こると、凸部１８がシート基部１１との間で線状の支点を形成する。
上述したように、凸部１８は先端が曲面状であるため、この支点を起点として樹脂キー１７の凸部１８と反対側が回転するように動く。
特に、延出部１７ａを有する樹脂キー１７に対応する接点部１２は、基板２０に対向することになる裏面１２ａが、樹脂キー１７の凸部１８側から反対側に向かって、基板２０から離れるように傾斜している。
【００４６】
この傾斜は、上述した樹脂キー１７の支点を起点とする回転方向と一致しているので、確実に、樹脂キー１７は、樹脂キー１７の凸部１８と反対側が回転するように動くものとなり、スカート部１３はその動きに応じるようにしか座屈しないので、このような支点が形成されないときのような不均一な座屈が発生しなくなり、座屈の不均一さに起因するダブルクリックの発生が抑制される。
【００４７】
さらに、通常、ユーザは、表示部５に対面する位置にいるので、樹脂キー１７を操作する指の動きは、表示部５から離れる手前側に動かしやすい。
このため、樹脂キー１７の表示部５側に支点を形成するように凸部１８を表示部５側に設けるようにすることで、ユーザの指の自然な動きとも相まって、より一層確実に、樹脂キー１７が、樹脂キー１７の凸部１８と反対側が回転するように動くものとなり、スカート部１３の不均一な座屈が発生しなくなり、座屈の不均一さに起因するダブルクリックの発生が抑制される。
【００４８】
加えて、この傾斜によって、樹脂キー１７の凸部１８と反対側が大きく動くことが許容されており、スカート部１３の変形量が凸部１８側と凸部１８の反対側とでは異なるものになり、キー釦６を操作（樹脂キー１７を押圧）するときのスナップ（クリック）感が増し、ユーザの操作感を向上することができる。
【００４９】
ところで、ダブルクリックの発生を抑制するという視点では、樹脂キー１７の回転の起点となる線状の支点が形成されればよいため、先に述べたように、ユーザによる押圧（押下）が行われる前の状態のときに、既に、凸部１８がシート基部１１に当接している状態であってもよい。
【００５０】
しかしながら、そのように初めから凸部１８がシート基部１１に当接していると、ユーザが押圧するときのクッション性が失われ、指にかかる荷重が大きくなり、操作感が悪くなることから、本実施形態のように、押圧される前の状態においては、凸部１８がシート基部１１から離間していることが好ましい。
【００５１】
一方で、凸部１８がシート基部１１から大きく離間していると、凸部１８が支点を形成する前にスカート部１３の座屈が発生し、不均一な座屈になる恐れがあるため、図６（ａ）に示す凸部１８の先端とシート基部１１の間の距離Ｓは、接点部１２のストロークをＹｍｍとしたときに、Ｓ≦Ｙ／２ｍｍ以下が好ましく、このため、凸部１８の先端がシート基部１１からの距離でＹ／２ｍｍ以内に位置することが好ましい。
なお、本実施形態では、Ｓ≒Ｙ／３ｍｍとして、接点部１２のストロークのほぼ１／３程度の距離だけ凸部１８がシート基部１１から離間するようにしている。
【００５２】
また、図６（ｂ）に示す両矢印の範囲Ｗは、基板２０に形成されている電極の範囲を示しているものであり、図６（ｂ）を見るとわかるように、接点部１２の範囲よりも大きくしている。
つまり、本実施形態では、基板２０の電極は、基板２０上での形成面積が、対応する接点部１２の裏面の面積よりも大きいものとして、確実に、接点部１２の裏面が接触した瞬間に電極の導通が開始され、動作遅れ感がでないようにしているため、ユーザに快適な操作感を与えることができる。
【００５３】
以上、具体的な実施形態に基づいて本発明を説明したが、本発明の技術的範囲は上記実施形態に限定されないことは言うまでもない。
例えば、上記実施形態では、図５に示すように、樹脂キー１７の延出部１７ａに設けられる凸部１８は、１つの直線状の凸部になっている。
しかしながら、この凸部１８は、シート基部１１との間で線状の支点を形成することを目的とするものであることから、直線状に並ぶ複数の凸部であってもよい。
【００５４】
このように直線状に並ぶ複数の凸部とすれば、それぞれの凸部のシート基部１１との接触点が直線状に存在することで線状の支点を形成するものとなる。
また、このように線状に複数の凸部を設ける場合に多数の凸部を設ける必要はなく、その凸部を設ける位置（凸部間の離間距離等）を適切なものとすれば、２つの凸部や３つの凸部でも線状の支点を形成することが可能である。
【００５５】
このように、本発明は、具体的な上記実施形態に、多様な変更又は改良を加えてもよく、そのような変更又は改良を加えた形態も本発明の技術的範囲に含まれるものであり、そのことは当業者にとって、特許請求の範囲の記載から明らかである。
【００５６】
以下に、この出願の願書に最初に添付した特許請求の範囲に記載した発明を付記する。付記に記載した請求項の項番は、この出願の願書に最初に添付した特許請求の範囲のとおりである。
【００５７】
［付記］
［請求項１］
電子機器の基板上に配置され、複数のキー及び前記キーの配置されるキーシートを備え、
前記キーシートは、
シート基部と、
前記キーの配置される複数の接点部と、
前記シート基部とそれぞれの前記接点部の間に介在し、前記接点部が前記シート基部から突出するように支持するスカート部と、を備え、
少なくとも１つ以上の前記キーは、前記シート基部まで延出した延出部を有し、
前記延出部は、前記シート基部側に突出するように設けられた前記シート基部との間で支点を形成する凸部を有し、
前記延出部を有する前記キーに対応する前記接点部は、前記基板に対向することになる裏面が、前記キーの前記凸部側から反対側に向かって、前記基板から離れるように傾斜していることを特徴とするキー構造。
［請求項２］
前記キーの前記凸部は、対応する前記接点部のストロークをＹｍｍとしたときに、前記凸部の先端が前記シート基部からの距離でＹ／２ｍｍ以内に位置することを特徴とする請求項１に記載のキー構造。
［請求項３］
前記キーの前記凸部は、前記キーを押圧しない状態において、前記シート基部から離間していることを特徴とする請求項２に記載のキー構造。
［請求項４］
請求項１から請求項３のいずれか１項に記載のキー構造と、
前記接点部に対応する位置に電極を有し、前記シート基部の裏面側に配置される基板と、を備えることを特徴とする電子機器。
［請求項５］
前記キー構造上に設けられるカバーを備え、
前記カバーは、一列に並ぶ前記キーを前記カバーの表面側に位置させるために、一列に並ぶ前記キーの並び幅に対応する長孔で形成された開口を有していることを特徴とする請求項４に記載の電子機器。
［請求項６］
前記電極は、前記基板上での形成面積が、対応する前記接点部の裏面の面積よりも大きいことを特徴とする請求項４又は請求項５に記載の電子機器。
【符号の説明】
【００５８】
１      電子辞書
２      第１ケース
３      第２ケース
４      ヒンジ部
５      表示部
６      キー釦
８      カバー
１０    キー構造
１１    シート基部
１２    接点部
１２ａ  裏面
１３    スカート部
１４    キーシート
１７    樹脂キー
１７ａ  延出部
１８    凸部
２０    基板
【図１】
0006323467.tif 000002
【図２】
0006323467.tif 000003
【図３】
0006323467.tif 000004
【図４】
0006323467.tif 000005
【図５】
0006323467.tif 000006
【図６】
0006323467.tif 000007